(57)【特許請求の範囲】
【請求項１】
キャリッジであって、
媒体に液体を吐出する吐出部と、前記吐出部が取り付けられる取り付け部と、を有する
吐出部室と、
該吐出部の駆動基板を有する駆動基板室と、
前記吐出部室内の圧力変化を抑制する圧力調整部と、
を備え、
前記圧力調整部は、
前記キャリッジの外部から前記吐出部室の内部に気流を流入する第１気流発生部と、
前記駆動基板室の内部から前記キャリッジの外部に気流を流出する第２気流発生部と
、
前記キャリッジの内部において、前記吐出部室と前記駆動基板室とを仕切る仕切りと
、
を含み、
前記仕切りには、部材が通過するとともに、前記吐出部室と前記駆動基板室との間で気
流が通過可能な孔部が設けられていることを特徴とするキャリッジ。
【請求項２】
請求項１に記載のキャリッジにおいて、
前記仕切りとは別に、取り外すことで前記吐出部にアクセス可能な着脱可能部材を有す
ることを特徴とするキャリッジ。
【請求項３】
請求項１または２に記載のキャリッジにおいて、
前記圧力調整部は、前記吐出部室の内部と前記キャリッジの外部との圧力差を低減する
ように駆動されることを特徴とするキャリッジ。
【請求項４】
請求項１から３のいずれか１項に記載のキャリッジを備えることを特徴とする液体吐出
装置。
【発明の詳細な説明】
【技術分野】
【０００１】
本発明は、キャリッジ及び液体吐出装置に関する。
【背景技術】
【０００２】
従来から、様々な液体吐出装置が使用されている。このうち、例えば、特許文献１で開
示されるように、液体を吐出する吐出部と該吐出部の駆動基板とを備えるキャリッジを媒
体に対して往復移動方向に移動させて画像を形成する液体吐出装置が使用されている。
【先行技術文献】
【特許文献】
【０００３】
【特許文献１】特開２０１４−９４４５４号公報
【発明の概要】
【発明が解決しようとする課題】
【０００４】
液体を吐出する吐出部と該吐出部の駆動基板とを備えるキャリッジにおいては、吐出部
の駆動に伴いキャリッジの内部において駆動基板が昇温する。このため、駆動基板に気流
を吹き付け、該駆動基板の昇温を抑制することが行われている。しかしながら、駆動基板
に気流を吹き付けることに伴い、該気流が吐出部側に至り液体の吐出方向をずらしてしま
うことがある。また、キャリッジを筐体で囲う構成の場合、キャリッジの内部の圧力がキ
ャリッジ外部の圧力と差ができてしまう場合が有る。すると、キャリッジから外部に気流
が噴き出すことで液体の吐出方向をずらしてしまうことや、キャリッジの内部に気流が流
れ込むことで吐出部から吐出された液体のミストが該内部に流入してしまうことがある。
【０００５】
そこで、本発明の目的は、液体を吐出する吐出部と該吐出部の駆動基板と該駆動基板に
気流を吹き付ける気流発生部とを備えるキャリッジにおいて、気流が発生することに伴う
影響を抑制することである。
【課題を解決するための手段】
【０００６】
上記課題を解決するための本発明の第１の態様のキャリッジは、媒体に対して往復移動
可能であり、前記媒体に液体を吐出する吐出部と、該吐出部の駆動基板と、該駆動基板に
気流を吹き付ける気流発生部と、前記気流発生部による気流発生に伴う前記吐出部の圧力
変化を抑制する仕切りと、を備えることを特徴とする。
【０００７】
本態様によれば、気流発生部による気流発生に伴う吐出部の圧力変化を抑制する仕切り
を備える。このため、該仕切りにより、液体を吐出する吐出部と該吐出部の駆動基板と該
駆動基板に気流を吹き付ける気流発生部とを備えるキャリッジにおいて、気流が発生する
ことに伴う影響を抑制することができる。
【０００８】
本発明の第２の態様のキャリッジは、前記第１の態様において、前記仕切りには、部材
を通す孔部が設けられていることを特徴とする。
【０００９】
本態様によれば、仕切りには部材を通す孔部が設けられている。このため、ケーブルや
液体を通すチューブなどの部材を該孔部から通すことができる。
【００１０】
本発明の第３の態様のキャリッジは、前記第２の態様において、前記仕切りとは別に、
取り外すことで前記吐出部にアクセス可能な着脱可能部材を有することを特徴とする。
【００１１】
本態様によれば、仕切りとは別に取り外すことで吐出部にアクセス可能な着脱可能部材
を有する。このため、例えば、キャリッジに備えられる吐出部に不具合が発生した場合な
どにおいて、着脱可能部材を取り外すことで、仕切りを取り外すことなく簡単に該吐出部
を交換することができる。
【００１２】
本発明の第４の態様のキャリッジは、前記第１から第３のいずれか１つの態様において
、前記仕切りにより、前記駆動基板を有する駆動基板室と前記吐出部を有する吐出部室と
に仕切られ、前記吐出部室には、該吐出部室内の圧力を調整する圧力調整部が設けられて
いることを特徴とする。
【００１３】
本態様によれば、仕切りにより駆動基板を有する駆動基板室と吐出部を有する吐出部室
とに仕切られ、吐出部室には該吐出部室内の圧力を調整する圧力調整部が設けられている
。このため、吐出部室内の圧力を調整でき、吐出部室内から外部に気流を流出すること及
び吐出部室内に外部から気流が流入することを抑制できる。したがって、キャリッジから
外部に気流が噴き出すことで液体の吐出方向をずらしてしまうことや、キャリッジの内部
に気流が流れ込むことで吐出部から吐出された液体のミストが該内部に流入してしまうこ
とを抑制できる。
【００１４】
本発明の第５の態様のキャリッジは、前記第４の態様において、前記圧力調整部は、前
記吐出部室の内部と前記キャリッジの外部との圧力差を低減するように駆動されることを
特徴とする。
【００１５】
本態様によれば、圧力調整部は、吐出部室の内部とキャリッジの外部との圧力差を低減
するように駆動される。このため、吐出部室内の圧力を特に効果的に調整でき、吐出部室
内から外部に気流を流出すること及び吐出部室内に外部から気流が流入することを特に効
果的に抑制できる。
【００１６】
本発明の第６の態様の液体吐出装置は、前記第１から第５のいずれか１つの態様のキャ
リッジを備えることを特徴とする。
【００１７】
本態様によれば、気流が発生することに伴う影響を抑制して媒体に液体を吐出させるこ
とができる。
【図面の簡単な説明】
【００１８】
【図１】本発明の一実施例に係る記録装置を表す概略側面図。
【図２】本発明の一実施例に係る記録装置を表すブロック図。
【図３】本発明の一実施例に係る記録装置の要部を表す概略側面図。
【図４】本発明の一実施例に係る記録装置の要部を表す概略斜視図。
【図５】本発明の一実施例に係る記録装置の要部を表す概略斜視図。
【図６】本発明の一実施例に係る記録装置の要部を表す概略斜視図。
【図７】本発明の一実施例に係る記録装置の要部を表す概略斜視図。
【図８】参考例の記録装置の要部を表す概略側面図。
【図９】別の参考例の記録装置の要部を表す概略側面図。
【発明を実施するための形態】
【００１９】
以下に、本発明の液体吐出装置の一実施例に係る記録装置について、添付図面を参照し
て詳細に説明する。  
最初に、本発明の一実施例に係る記録装置１の概要について説明する。  
図１は本実施例の記録装置１の概略側面図である。
【００２０】
本実施例の記録装置１は、記録を行うための被記録媒体（媒体）ＰのロールＲ１を繰り
出すことが可能な繰出部２を備えている。また、粘着剤が付着された支持面Ｆで被記録媒
体Ｐを支持する粘着性ベルト１０（無端ベルトで構成される搬送ベルト）により、被記録
媒体Ｐを搬送方向Ａに搬送する搬送機構３を備えている。また、インク（液体）を吐出す
る吐出部としての記録ヘッド７を備えたキャリッジ１６を、被記録媒体Ｐの搬送方向Ａと
交差する走査方向Ｂに沿って往復走査させて、被記録媒体Ｐに記録する記録機構４を備え
ている。また、粘着性ベルト１０の洗浄機構１５を備えている。さらに、被記録媒体Ｐを
巻き取る巻取軸１７を有する巻取機構３８を備えている。なお、「走査」とは、キャリッ
ジ１６を走査方向Ｂに移動させることを意味し、例えば、記録時において、記録ヘッド７
からインクを吐出させながらキャリッジ１６を走査方向Ｂに移動させることなどが挙げら
れる。
【００２１】
なお、被記録媒体Ｐとしては、被捺染材を用いることができる。被捺染材とは、捺染の
対象となる布帛や、衣服や、その他の服飾製品等のことを言う。布帛には、綿、麻、絹、
羊毛等の天然繊維やナイロン等の化学繊維あるいはこれらを混ぜた複合繊維の織物、編物
、不織布等が含まれる。また、衣服や、その他の服飾製品には、縫製後のＴシャツ、ハン
カチ、スカーフ、タオル、手提げ袋、布製のバッグ、カーテン、シーツ、ベッドカバー等
のファニチャー類の他、縫製前の状態のパーツとして存在する裁断前後の布帛等も含まれ
る。
【００２２】
また、被記録媒体Ｐとして、上記被捺染材の他、普通紙、上質紙、及び光沢紙などのイ
ンクジェット記録用専用紙等を用いることができる。また、被記録媒体Ｐとしては、例え
ば、インクジェット印刷用に表面処理をしていない（すなわち、インク吸収層を形成して
いない）プラスチックフィルム、並びに紙等の基材上にプラスチックがコーティングされ
ているもの及びプラスチックフィルムが接着されているものも用いることができる。当該
プラスチックとしては、特に限定されないが、例えば、ポリ塩化ビニル、ポリエチレンテ
レフタレート、ポリカーボネート、ポリスチレン、ポリウレタン、ポリエチレン、及びポ
リプロピレンが挙げられる。
【００２３】
繰出部２は、記録を行うための被記録媒体ＰのロールＲ１のセット位置を兼ねる回転軸
５を備え、回転軸５にセットされたロールＲ１から従動ローラー６及び３７を介して被記
録媒体Ｐを搬送機構３に繰り出すことが可能な構成となっている。なお、被記録媒体Ｐを
搬送機構３に繰り出す際、回転軸５は回転方向Ｃに回転する。
【００２４】
搬送機構３は、繰出部２から繰り出された被記録媒体Ｐを載置して搬送する粘着性ベル
ト１０と、粘着性ベルト１０を方向Ｅに移動させる駆動ローラー８と、従動ローラー９と
を備えている。被記録媒体Ｐは押し付けローラー１２により粘着性ベルト１０の支持面Ｆ
に押し付けられることで貼り付けられて載置される。なお、被記録媒体Ｐを搬送する際、
駆動ローラー８は回転方向Ｃに回転する。  
ただし、搬送ベルトとしての無端ベルトは粘着性ベルトに限定されない。例えば、静電
吸着式の無端ベルトを用いてもよい。  
また、本実施例の粘着性ベルト１０の下部には、粘着性ベルト１０を支持可能な支持部
としてのプラテン１８及び１９が設けられている。プラテン１８及び１９が粘着性ベルト
１０を支持することにより、粘着性ベルト１０を移動させることに伴って該粘着性ベルト
１０が振動することなどを抑制することができる。ここで、プラテン１８は粘着性ベルト
１０を介して記録ヘッド７と対向する領域、プラテン１９は粘着性ベルト１０を介して押
し付けローラー１２と対向する領域、に設けられている。
【００２５】
なお、本実施例の押し付けローラー１２は、走査方向Ｂに沿う回転軸２０を基準にして
被記録媒体Ｐの搬送に伴い回転方向Ｃとは反対方向に回転可能な構成になっている。  
また、本実施例の押し付けローラー１２は、被記録媒体Ｐの同じ場所に一定の時間接触
することで接触痕が被記録媒体Ｐにつくことを抑制するため、搬送方向Ａに沿って往復移
動（スイング）可能な構成となっている。ただし、押し付けローラー１２は、このような
構成に限定されない。
【００２６】
記録機構４は、記録ヘッド７を備えるキャリッジ１６を走査方向Ｂに沿って往復移動さ
せるキャリッジモーター３０（図２参照）を有している。なお、図１において走査方向Ｂ
は紙面に対して垂直方向である。  
記録の際、記録ヘッド７を備えるキャリッジ１６を往復走査させて記録するが、記録走
査中（キャリッジ１６の移動中）は、搬送機構３は被記録媒体Ｐの搬送を停止させる。別
の表現をすると、記録の際、キャリッジ１６の往復走査と被記録媒体Ｐの搬送は交互に行
われる。すなわち、記録の際、キャリッジ１６の往復走査に対応して、搬送機構３は被記
録媒体Ｐを間欠搬送（粘着性ベルト１０を間欠移動）させている。  
なお、本実施例の記録装置の要部であるキャリッジ１６の詳細については後述する。
【００２７】
粘着性ベルト１０の洗浄機構１５は、複数の洗浄ローラーが回転軸方向に連結されて構
成された洗浄ブラシ１３と、洗浄ブラシ１３を洗浄するための洗浄剤が入ったトレイ１４
と、を有する。
【００２８】
巻取機構３８は、記録がなされ、従動ローラー１１を介して搬送機構３から搬送された
被記録媒体Ｐを巻き取る機構であり、巻取軸１７に巻き取り用の紙管等をセットしてこれ
に該被記録媒体Ｐを巻き付けていくことにより、被記録媒体ＰのロールＲ２として巻き取
ることができる。  
なお、図１においては、記録がなされる面が外側のロールＲ１を使用し、記録がなされ
た面が外側となるように巻き取っている状態を表している。このため、回転軸５と巻取軸
１７とを共に回転方向Ｃに回転させている。しかしながら、本実施例の記録装置１は、記
録がなされる面が内側のロールＲ１を使用することができるとともに、記録がなされた面
が内側となるように巻き取ることもできる。すなわち、回転軸５、巻取軸１７とも、回転
方向Ｃとは逆方向に回転させることができる。
【００２９】
次に、本実施例の記録装置１における電気的な構成について説明する。  
図２は、本実施例の記録装置１のブロック図である。  
制御部２３には、記録装置１の全体の制御を司るＣＰＵ２４が設けられている。ＣＰＵ
２４は、システムバス２５を介して、ＣＰＵ２４が実行する各種制御プログラム等を格納
したＲＯＭ２６と、データを一時的に格納可能なＲＡＭ２７と接続されている。
【００３０】
また、ＣＰＵ２４は、システムバス２５を介して、記録ヘッド７を駆動するためのヘッ
ド駆動部２８と接続されている。  
また、ＣＰＵ２４は、システムバス２５を介して、キャリッジモーター３０、搬送モー
ター３１、繰出モーター３２、巻取モーター３３、スイングモーター３４、ファン駆動モ
ーター３５及び３６を駆動させるためのモーター駆動部２９と接続されている。  
ここで、キャリッジモーター３０は、記録ヘッド７を備えたキャリッジ１６を移動させ
るためのモーターである。また、搬送モーター３１は、駆動ローラー８を駆動するための
モーターである。また、繰出モーター３２は、回転軸５の回転機構であり、被記録媒体Ｐ
を搬送機構３に送り出すために回転軸５を駆動するモーターである。また、巻取モーター
３３は、巻取軸１７を回転させるための駆動モーターである。また、スイングモーター３
４は、押し付けローラー１２を搬送方向Ａに沿ってスイング（往復移動）させるための駆
動モーターである。また、ファン駆動モーター３５は、後述する気流発生部としてのファ
ン４１（図３参照）を駆動するためのモーターである。そして、ファン駆動モーター３６
は、後述する圧力調整部としてのファン４２（図３参照）を駆動するためのモーターであ
る。
【００３１】
また、ＣＰＵ２４は、システムバス２５を介して、入出力部２１と接続されており、入
出力部２１は、記録データ等のデータ及び信号の送受信を行うためのＰＣ２２と接続され
ている。  
制御部２３は、このような構成により、記録装置１の全体の制御を実行可能である。
【００３２】
次に、本実施例の要部であるキャリッジ１６について、詳細に説明する。  
図３は、本実施例のキャリッジ１６を表す概略側面図である。また、図８及び図９は、
参考例のキャリッジ１６を表す概略側面図である。
【００３３】
図３、図８及び図９で表されるように、記録ヘッド７からの液滴の吐出を駆動する駆動
基板４０をキャリッジ１６に備える構成においては、記録ヘッド７と駆動基板４０とを繋
ぐケーブル３９を短く構成できるため、データ損失やノイズが入ることを抑制することが
できる。しかしながら、記録ヘッド７を駆動する際に駆動基板４０は発熱するため、昇温
する。このため、駆動基板４０をキャリッジ１６に備える構成においては、駆動基板４０
の昇温を抑制するため、駆動基板４０に気流を吹き付ける気流発生部を備える構成とする
ことができる。
【００３４】
図８は、駆動基板４０をキャリッジ１６に備える構成であって、駆動基板４０に気流を
吹き付ける気流発生部としてのファン４１と貫通孔４３とをキャリッジ１６に備える構成
の参考例のキャリッジ１６を表している。  
図８で表される参考例のキャリッジ１６は、ファン４１を駆動することで、ファン４１
を介してキャリッジ１６の内部から外部に風量Ｑｏの気流を排出する。すると、キャリッ
ジ１６の内部が負圧となるので、貫通孔４３から風量Ｑｉの気流がキャリッジ１６の内部
に進入する。しかしながら、一般的に、キャリッジ１６における記録ヘッド７の取り付け
部には隙間が空いているため、該隙間から気流がキャリッジ１６の内部に進入してしまう
。該隙間から気流がキャリッジ１６の内部に進入してしまうと、記録ヘッド７からインク
を吐出することに伴って発生するインクのミストがキャリッジ１６の内部に進入してしま
い、キャリッジ１６の内部を汚してしまう場合があった。
【００３５】
また、図９は、駆動基板４０をキャリッジ１６に備える構成であって、駆動基板４０に
気流を吹き付ける気流発生部としてのファン４６をキャリッジ１６に備える構成の参考例
のキャリッジ１６を表している。なお、ファン４１はキャリッジ１６の内部から外部に気
流を排出する気流発生部であったが、ファン４６はキャリッジ１６の外部から内部に気流
を流入させる気流発生部である。  
図９で表される参考例のキャリッジ１６は、ファン４６を駆動することで、ファン４６
を介してキャリッジ１６の外部から内部に風量Ｑｉの気流を流入させる。すると、キャリ
ッジ１６の内部が正圧となるので、キャリッジ１６の上部に設けられた不図示の貫通孔か
ら風量Ｑｏの気流がキャリッジ１６の外部に流出する。しかしながら、一般的に、キャリ
ッジ１６における記録ヘッド７の取り付け部には隙間が空いているため、該隙間から気流
がキャリッジ１６の外部に流出してしまう。該隙間から気流がキャリッジ１６の外部に流
出してしまうと、記録ヘッド７吐出されたインク滴の被記録媒体Ｐへの着弾位置をずらし
てしまう場合があった。
【００３６】
一方、図３で表される本実施例のキャリッジ１６は、図８で表される参考例のキャリッ
ジ１６と同様、ファン４１と貫通孔４３とをキャリッジ１６に備えている。そして、キャ
リッジ１６の内部を駆動基板室４７と吐出部室４８とに分ける仕切り４４が設けられてい
る。  
すなわち、本実施例のキャリッジ１６は、被記録媒体Ｐに対して往復移動可能であり、
被記録媒体Ｐにインクを吐出する記録ヘッド７と、該記録ヘッド７の駆動基板４０と、該
駆動基板４０に気流を吹き付けるファン４１と、記録ヘッド７に気流が吹き付けられるの
を抑制する（すなわち、ファン４１による気流発生に伴う記録ヘッド７の圧力変化を抑制
する）仕切り４４と、を備えると表現できる。  
ここで、「気流を吹き付ける」には外向きファン（例えばファン４１）による気流と内
向きファン（例えばファン４２）の気流の両方が含まれる。  
本実施例のキャリッジ１６は、このように、該仕切り４４により、インクを吐出する記
録ヘッド７と該記録ヘッド７の駆動基板４０と該駆動基板４０に気流を吹き付けるファン
４１とを備える構成をしている。このため、記録ヘッド７の取り付け部の隙間からの気流
の流入及び流出を抑制し、気流が発生することに伴う影響を抑制することができる構成に
なっている。言い換えると、キャリッジ１６の内部から外部に気流が噴き出すこととキャ
リッジ１６内部に外部から気流が流れ込むことの両方の課題がある中、仕切り４４は記録
ヘッド７の圧力変化（記録ヘッド７が形成された領域である吐出部室４８の圧力変化）を
抑制することで、この両方の課題を解決可能な構成になっている。
【００３７】
別の表現をすると、本実施例の記録装置１は、このようなキャリッジ１６を備えている
。このため、気流が発生することに伴う影響を抑制して被記録媒体Ｐにインクを吐出させ
ることができる構成になっている。
【００３８】
また、図３で表されるように、本実施例の仕切り４４には、部材の一例であるケーブル
３９を通す孔部４５が設けられている。  
本実施例の仕切り４４のように仕切り４４に部材を通す孔部４５が設けられていれば、
ケーブル３９やインクを通すチューブなどの部材を該孔部４５から通すことができる。
【００３９】
また、図３で表されるように、本実施例のキャリッジ１６は、仕切り４４により、駆動
基板４０を有する駆動基板室４７と記録ヘッド７を有する吐出部室４８とに仕切られ、吐
出部室４８には、該吐出部室４８内の圧力を調整する圧力調整部としてのファン４２が設
けられている。このため、吐出部室４８内の圧力を調整でき、吐出部室４８内から外部に
気流を流出すること及び吐出部室４８内に外部から気流が流入することを抑制できる構成
になっている。したがって、キャリッジ１６から外部に気流が噴き出すことでインクの吐
出方向をずらしてしまうことや、キャリッジ１６の内部に気流が流れ込むことで記録ヘッ
ド部から吐出されたインクのミストが該内部に流入してしまうことを抑制できる構成にな
っている。
【００４０】
さらに詳細には、本実施例のファン４２は、吐出部室４８の内部とキャリッジ１６の外
部との圧力差を低減するように、制御部２３の制御により駆動される。このため、吐出部
室４８内の圧力を特に効果的に調整し、吐出部室４８内から外部に気流を流出すること及
び吐出部室４８内に外部から気流が流入することを特に効果的に抑制している。  
具体的には、ファン４１を介して駆動基板室４７から排出される気流の風量Ｑｏ１は、
貫通孔４３から駆動基板室４７に流入する気流の風量Ｑｉ１と、孔部４５を介して吐出部
室４８内から駆動基板室４７に流入する（排出される）気流の風量Ｑｏ２と、の和と同等
となる。そこで、吐出部室４８内から駆動基板室４７に排出される気流の風量Ｑｏ２と、
ファン４２を介して吐出部室４８内に流入する気流の風量Ｑｉ２とが、同等となるように
ファン４２を駆動している。なお、風量Ｑｏ１は風量Ｑｉ１とＱｏ２との和と同等である
ので、当然のことながらＱｏ１の風量は風量Ｑｉ２より大きくなる。
【００４１】
次に、本実施例の要部であるキャリッジ１６について、図４から図７を参照して、さら
に詳細に説明する。  
図４から図７は、何れも、本実施例のキャリッジ１６を表す概略斜視図である。このう
ち、図４は、キャリッジ１６の全体を覆うカバー４９を取り付けた状態であって、ファン
４１側から見た概略斜視図である。また、図５は、キャリッジ１６のカバー４９のうちの
走査方向Ｂ側の側面カバー４９ａを取り外した状態であって、ファン４１側から見た概略
斜視図である。また、図６は、キャリッジ１６の全体を覆うカバー４９を全て取り外した
状態であって、ファン４１側から見た概略斜視図である。そして、図７は、キャリッジ１
６の全体を覆うカバー４９を取り付けた状態であって、記録ヘッド７側から見た概略斜視
図である。
【００４２】
図４及び図７で表されるように、本実施例のキャリッジ１６は、全体を覆うカバー４９
を有している。そして、図５で表されるように、このうちの側面カバー４９ａ（図４に図
示）のみを取り外すことが可能である。また、図５で表されるように、仕切り４４はカバ
ー４９の側面カバー４９ａ以外の部分と一体的に構成されており、キャリッジ１６からカ
バー４９を取り外すことに伴い仕切り４４もキャリッジ１６から取り外される。ここで、
図５で表されるように、カバー４９全体を取り外さなくても、側面カバー４９ａのみを取
り外すことで、作業者は記録ヘッド７にアクセス可能であり、例えば、記録ヘッド７の交
換は、側面カバー４９ａのみを取り外すことで実行可能である。
【００４３】
すなわち、本実施例のキャリッジ１６は、仕切り４４とは別に、取り外すことで記録ヘ
ッド７にアクセス可能な着脱可能部材としての側面カバー４９ａを有している。このため
、例えば、キャリッジ１６に備えられる記録ヘッド７に不具合が発生した場合などにおい
て、側面カバー４９ａを取り外すことで、仕切り４４を取り外すことなく簡単に該記録ヘ
ッド７を交換することができる構成になっている。
【００４４】
なお、本発明は上記実施例に限定されることなく、特許請求の範囲に記載した発明の範
囲内で種々の変形が可能であり、それらも本発明の範囲内に含まれることは言うまでもな
い。
【符号の説明】
【００４５】
１…記録装置（液体吐出装置）、２…繰出部、３…搬送機構、４…記録機構、
５…回転軸、６…従動ローラー、７…記録ヘッド（吐出部）、８…駆動ローラー、
９…従動ローラー、１０…粘着性ベルト、１１…従動ローラー、
１２…押し付けローラー、１３…洗浄ブラシ、１４…トレイ、１５…洗浄機構、
１６…キャリッジ、１７…巻取軸、１８…プラテン、１９…プラテン、２０…回転軸、
２１…入出力部、２２…ＰＣ、２３…制御部、２４…ＣＰＵ、２５…システムバス、
２６…ＲＯＭ、２７…ＲＡＭ、２８…ヘッド駆動部、２９…モーター駆動部、
３０…キャリッジモーター、３１…搬送モーター、３２…繰出モーター、
３３…巻取モーター、３４…スイングモーター、３５…ファン駆動モーター、
３６…ファン駆動モーター、３７…従動ローラー、３８…巻取機構、３９…ケーブル、
４０…駆動基板、４１…ファン（気流発生部）、４２…ファン（圧力調整部）、
４３…貫通孔、４４…仕切り、４５…孔部、４６…ファン（気流発生部）、
４７…駆動基板室、４８…吐出部室、４９…カバー、
４９ａ…側面カバー（着脱可能部材）、Ｆ…支持面、Ｐ…被記録媒体（媒体）、
Ｒ１…被記録媒体Ｐのロール、Ｒ２…被記録媒体Ｐのロール
【図１】
0006988163.tif 000002
【図２】
0006988163.tif 000003
【図３】
0006988163.tif 000004
【図４】
0006988163.tif 000005
【図５】
0006988163.tif 000006
【図６】
0006988163.tif 000007
【図７】
0006988163.tif 000008
【図８】
0006988163.tif 000009
【図９】
0006988163.tif 000010